(57)【要約】【課題】  ビデオライトとストロボを両方備えている電子カメラ、カムコーダー等の画像処理装置において、ストロボの充電量が少ない場合でもシャッターチャンスの逃さないで済む画像処理装置を提供する。【解決手段】  ストロボコンデンサの充電量が充分でない場合に、被写体の明るさを判別してビデオライトの使用に切り換えて撮像するかどうか決定する構成とする。【選択図】  図１
2007212950.tif 000002
【特許請求の範囲】
【請求項１】
撮像した静止画像及び／或いは撮像した動画像を記録媒体に記録する画像処理装置であって、撮像手段と、記録手段と、制御手段と、ライト点灯手段と、ストロボ発光手段と、ストロボ発光用蓄電手段とを有し、前記撮像手段で静止画を撮影する時に、前記ストロボ発光用蓄電手段に充電している充電量が充分でない場合、前記ライト点灯手段でライトを点灯して撮影を行うことを特徴とする画像処理装置。
【請求項２】
更に被写体明暗検知手段と表示手段を有し、前記撮像手段で静止画を撮影する時に、前記ライト点灯手段を使用するか或いは前記ストロボ発光手段を使用するかを前記表示手段に表示することを特徴とする請求項１に記載の画像処理装置。
【請求項３】
撮像した静止画像及び／或いは動画像を記録媒体に記録する画像処理装置であって、撮像手段と、記録手段と、制御手段と、ライト点灯手段と、ストロボ発光手段と、ストロボ発光用蓄電手段と、被写体明暗検知手段を有し、前記撮像手段で静止画を撮影する時に、前記ストロボ発光用蓄電手段に充電している充電量が充分でない場合、前記被写体明暗検知手段で検知した値が第一の閾値以上、第二の閾値未満の時は、前記ライト点灯手段でライトを点灯して撮影を行い、第一の閾値未満の時は、前記ストロボ発光用蓄電手段に充電が完了してから前記ストロボ発光手段で発光して撮影を行うことを特徴とする画像処理装置。
【請求項４】
更に表示手段を有し、前記撮像手段で静止画を撮影する時に、前記ライト点灯手段を使用するか或いは前記ストロボ発光手段を使用するかを前記表示手段に表示することを特徴とする請求項３に記載の画像処理装置。
【発明の詳細な説明】
【技術分野】
【０００１】
本発明は、静止画像や動画像を撮像、記録、再生する画像処理装置に関する。
【背景技術】
【０００２】
従来、固体メモリ素子を有するメモリカードや磁気テープを記録媒体として、静止画像や動画像を記録再生する電子カメラ、カムコーダー等の画像処理装置は既に市販されている。
【０００３】
これらの電子カメラ、カムコーダーによれば、静止画撮影用にストロボを、動画撮影用にビデオライトを持っている。ストロボは被写体を非常に明るくすることができる反面、ストロボを発光させるためには、蓄電用のコンデンサに充電しておかなければならない。一方、ビデオライトは点灯させるために充電する必要はない反面、ストロボの明るさまでは明るくすることができない。
【０００４】
従来例としては、特許文献１をあげることが出来る。
【特許文献１】特開平１０−８００６９号公報
【発明の開示】
【発明が解決しようとする課題】
【０００５】
このような従来の電子カメラ、カムコーダー等の画像処理装置においては、被写体が暗い時に静止画撮影をする場合、ストロボを発光させるための蓄電用のコンデンサに充分な量の電力が充電されていなければ、充電されるまで撮影ができないために、使用者がシャッターチャンスを逃すという問題点があった。
【課題を解決するための手段】
【０００６】
本発明に係る画像処理装置に於いては、第１に、撮像した静止画像及び或いは動画像を記録媒体に記録する画像処理装置であって、撮像手段と、記録手段と、制御手段と、ライト点灯手段と、ストロボ発光手段と、ストロボ発光用蓄電手段とを有し、前記撮像手段で静止画を撮影する時に、前記ストロボ発光用蓄電手段に充電している充電量が充分でない場合、前記ライト点灯手段でライトを点灯して撮影を行うことを特徴とする。
【０００７】
第２に、更に被写体明暗検知手段と表示手段を有し、前記撮像手段で静止画を撮影する時に、前記ライト点灯手段を使用するか或いは前記ストロボ発光手段を使用するかを前記表示手段に表示することを特徴とする。
【０００８】
第３に、撮像した静止画像及び或いは動画像を記録媒体に記録する画像処理装置であって、撮像手段と、記録手段と、制御手段と、ライト点灯手段と、ストロボ発光手段と、ストロボ発光用蓄電手段と、被写体明暗検知手段を有し、前記撮像手段で静止画を撮影する時に、前記ストロボ発光用蓄電手段に充電している充電量が充分でない場合、前記被写体明暗検知手段で検知した値が第一の閾値以上、第二の閾値未満の時は、前記ライト点灯手段で点灯して撮影を行い、第一の閾値未満の時は、前記ストロボ発光用蓄電手段に充電が完了してから前記ストロボ発光手段で発光して撮影を行うことを特徴とする。
【０００９】
第４に、更に表示手段を手段を有し、前記撮像手段で静止画を撮影する時に、前記ライト点灯手段を使用するか或いは前記ストロボ発光手段を使用するかを前記表示手段に表示することを特徴とする。
【００１０】
上記手段により、被写体が暗い時に静止画撮影をする場合、ストロボを発光させるための蓄電用のコンデンサに充分な量の電力が充電されていなければ、充電されるまで撮影ができないために、使用者がシャッターチャンスを逃すという問題点のない画像処理装置を提供することが可能となる。
【発明の効果】
【００１１】
以上の説明から容易に理解できるように、本発明によれば、第１に、撮像した静止画像及び或いは動画像を記録媒体に記録する画像処理装置であって、撮像手段と、記録手段と、制御手段と、ライト点灯手段と、ストロボ発光手段と、ストロボ発光用蓄電手段とを有し、前記撮像手段で静止画を撮影する時に、前記ストロボ発光用蓄電手段に充電している充電量が充分でない場合、前記ライト点灯手段でライトを点灯して撮影を行うことを特徴とする画像処理装置を提供することが可能となる。
【００１２】
第２に、更に被写体明暗検知手段と表示手段を有し、前記撮像手段で静止画を撮影する時に、前記ライト点灯手段を使用するか或いは前記ストロボ発光手段を使用するかを前記表示手段に表示することを特徴とする画像処理装置を提供することが可能となる。
【００１３】
第３に、撮像した静止画像及び或いは動画像を記録媒体に記録する画像処理装置であって、撮像手段と、記録手段と、制御手段と、ライト点灯手段と、ストロボ発光手段と、ストロボ発光用蓄電手段と、被写体明暗検知手段を有し、前記撮像手段で静止画を撮影する時に、前記ストロボ発光用蓄電手段に充電している充電量が充分でない場合、前記被写体明暗検知手段で検知した値が第一の閾値以上、第二の閾値未満の時は、前記ライト点灯手段で点灯して撮影を行い、第一の閾値未満の時は、前記ストロボ発光用蓄電手段に充電が完了してから前記ストロボ発光手段で発光して撮影を行うことを特徴とする画像処理装置システムを提供することが可能となる。
【００１４】
第４に、更に表示手段手段を有し、前記撮像手段で静止画を撮影する時に、前記ライト点灯手段を使用するか或いは前記ストロボ発光手段を使用するかを前記表示手段に表示することを特徴とする画像処理装置システムを提供することが可能となる。
【００１５】
上記手段により、被写体が暗い時に静止画撮影をする場合、ストロボを発光させるための蓄電用のコンデンサに充分な量の電力が充電されていなければ、充電されるまで撮影ができないために、使用者がシャッターチャンスを逃すという問題点のない画像処理装置を提供することが可能となる。
【発明を実施するための最良の形態】
【００１６】
次に、本発明の詳細を実施例の記述に従って説明する。
【００１７】
（第１の実施例）
以下、図面を参照して本発明の実施例を説明する。
【００１８】
図１は、本発明の第１の実施例の構成を示す図である。
【００１９】
図1において、１００は画像処理装置である。
【００２０】
１０は光学像を電気信号に変換するＣＣＤやＣＭＯＳ等の撮像素子、及び、撮像素子のアナログ信号出力をディジタル信号に変換する撮像部である。１２は信号処理部であり、撮像部１０からのデータに対して所定の画素補間処理や色変換処理を行う。１４は信号処理部１２で処理されたデータを書き込むメモリ、及び或いは、撮影した静止画像や動画像を格納するためのメモリであり、所定枚数の静止画像や所定時間の動画像を格納するのに十分な記憶量を備えている。１６はＥＶＦ、ＴＦＴ  ＬＣＤ等から成る画像表示部であり、メモリ１４に書き込まれた表示用の画像データは画像表示部１６により表示される。
【００２１】
２０は画像処理装置１００全体を制御するシステム制御回路である。
【００２２】
３０、３２、３４、３６、及び３８は、システム制御回路２０の各種の動作指示を入力するための操作手段であり、スイッチやダイアル、タッチパネル等の単数或いは複数の組み合わせで構成される。
【００２３】
ここで、これらの操作手段の具体的な説明を行う。
【００２４】
３０はモードスイッチで、撮影モード、再生モード等に切り替え設定することができる。３２は録画スイッチで、記録媒体への動画記録開始を指示することができる。３４は停止スイッチで、記録媒体への動画記録停止を指示することができる。３６はシャッタースイッチで、記録媒体への静止画撮影開始を指示することができる。３８は各種ボタンやタッチパネル等からなる操作部で、各種設定のオン、オフや各種切り替えを行うことができる。
【００２５】
４０は電源スイッチで、画像処理装置１００の電源オン、電源オフの各モードを切り替え設定することができる。また、画像処理装置１００に接続された記録媒体６０等の各種付属装置の電源オン、電源オフの設定も合わせて切り替え設定することができる。
【００２６】
５０は電池やＡＣアダプター等からなる電源手段であり、画像処理装置１００の各部に必要な電力を供給する。
【００２７】
６０はメモリカードやハードディスク、磁気テープ等の記録媒体である。６２は記録媒体６０が装着されているか否かを検知する記録媒体着脱検知手段である。
【００２８】
７０はライト点灯部で、主に動画を撮像する際、被写体が暗い時に被写体を明るくすることができる。
【００２９】
７２はストロボ発光部で、主に静止画を撮像する際、被写体が暗い時に被写体を明るくすることができる。
【００３０】
７４はストロボ発光部を発光させるために電力を蓄えておく蓄電用のストロボコンデンサである。
【００３１】
７６は被写体の明るさを検知する被写体明暗検知部である。
【００３２】
８０は通信手段で、ＵＳＢ、ＩＥＥＥ１３９４等の各種通信機能を有する。
【００３３】
図２、図３を参照して、第１の実施例の動作を説明する。
【００３４】
図２及び図３は本発明の実施例の画像処理装置１００の主ルーチンのフローチャートを示す。
【００３５】
図２及び図３を用いて、画像処理装置１００の動作を説明する。
【００３６】
電池交換等の電源投入により、システム制御回路２０はフラグや制御変数等を初期化し、画像処理装置１００の各部において必要な所定の初期設定を行う（Ｓ１０１）。
【００３７】
システム制御回路２０は、電源スイッチ４０の設定位置を判断し、電源スイッチ４０が電源オフに設定されていたならば（Ｓ１０２）、各表示部の表示を終了状態に変更し、画像処理装置１００各部の不要な電源を遮断する等の所定の終了処理を行った後（Ｓ１０３）、Ｓ１０２に戻る。
【００３８】
電源スイッチ４０が電源オンに設定されていたならば（Ｓ１０２）、システム制御回路２０は、電源５０の残容量や動作状況が画像処理装置１００の動作に問題があるか否かを判断し（Ｓ１０４）、問題があるならば画像や音声により所定の警告表示を行った後に（Ｓ１０８）、Ｓ１０２に戻る。
【００３９】
電源５０に問題がないならば（Ｓ１０４）、システム制御回路２０はモードスイッチ３０の設定位置を判断し、モードスイッチ３０が撮影モードに設定されていたならば（Ｓ１０５）、Ｓ１０７に進む。
【００４０】
モードスイッチ３０がその他のモードに設定されていたならば（Ｓ１０５）、システム制御回路２０は選択されたモードに応じた処理を実行し（Ｓ１０６）、処理を終えたならばＳ１０２に戻る。
【００４１】
システム制御回路２０は、記録媒体６０が装着されているかどうかの判断、記録媒体６０に記録された画像データの管理情報の取得、そして、記録媒体６０の動作状態が画像処理装置１００の動作、特に記録媒体に対する画像データの記録再生動作に問題があるか否かの判断を行い（Ｓ１０７）、問題があるならば画像や音声により所定の警告表示を行った後に（Ｓ１０８）、Ｓ１０２に戻る。
【００４２】
記録媒体６０が装着されているかどうかの判断、記録媒体６０に記録された画像データの管理情報の取得、そして、記録媒体６０の動作状態が画像処理装置１００の動作、特に記録媒体に対する画像データの記録再生動作に問題があるか否かの判断を行った結果（Ｓ１０７）、問題がないならば、Ｓ１０９に進む。
【００４３】
システム制御回路２０は画像表示部１６を用いて画像や音声により画像処理装置１００の各種設定状態の表示を行う（Ｓ１０９）。
【００４４】
シャッタースイッチ３６により静止画撮影指示がなされていないならば（Ｓ１２１）、Ｓ１０２に戻る。
【００４５】
シャッタースイッチ３６により静止画撮影指示がなされていたならば（Ｓ１２１）、Ｓ１２２に進む。
【００４６】
被写体明暗検知部７６により検知した撮像する被写体の明るさをＢとし、被写体を明るくしなければ撮影が不可能であると判断できる閾値をＢ２とすると、ＢがＢ２以上であれば（Ｓ１２２）、撮像する被写体を明るくしなくても撮影が可能であるとの判断から、Ｓ１２４に進み、ストロボを発光しない通常撮影および記録を行う。
【００４７】
ＢがＢ２未満であれば（Ｓ１２２）、撮像する被写体を明るくしなければ撮影が不可能であるとの判断から、Ｓ１２３に進む。
【００４８】
ストロボコンデンサの充電量が撮影するに充分であると判断した時は（Ｓ１２３）、Ｓ１２５に進み、ストロボを発光して撮影および記録を行う（Ｓ１２６）。
【００４９】
ストロボコンデンサの充電量が撮影するに充分でないと判断した時は（Ｓ１２３）、Ｓ１２７に進む。
【００５０】
ストロボの明るさより少なくて撮影が可能であると判断できる明るさの閾値をＢ１とすると、ＢがＢ１以上Ｂ２未満であれば（Ｓ１２７）、ビデオライトの明るさで撮影が可能であるとの判断から、ビデオライトを点灯し（Ｓ１２８）、撮影および記録を行う（Ｓ１２９）。
【００５１】
ＢがＢ１未満であれば（Ｓ１２７）、ストロボの明るさでなければ撮影が不可能であるとの判断から、ストロボコンデンサの充電を行い（Ｓ１３０）、ストロボを発光して（Ｓ１３１）、撮影および記録を行う（Ｓ１３２）。
【００５２】
（第２の実施例）
図４は、本発明の第２の実施例の画像処理装置１００の主ルーチンのフローチャートの一部を示す。図４に至るまでのフローは第１の実施例の図２と同じである。
【００５３】
第１の実施例の図１と画像処理装置１００の構成は同じである。
【００５４】
シャッタースイッチ３６により静止画撮影指示がなされていないならば（Ｓ２０１）、Ｓ１０２に戻る。
【００５５】
シャッタースイッチ３６により静止画撮影指示がなされていたならば（Ｓ２０１）、Ｓ２０２に進む。
【００５６】
被写体明暗検知部７６により検知した撮像する被写体の明るさを測定し、逆光でなければ（Ｓ２０２）、撮像する被写体を逆光補正しなくても撮影が可能であるとの判断から、Ｓ２０４に進み、ストロボを発光しない通常撮影および記録を行う。
【００５７】
被写体明暗検知部７６により検知した撮像する被写体の明るさを測定し、逆光であれば（Ｓ２０２）、撮像する被写体を逆光補正しなければ撮影が不可能であるとの判断から、Ｓ２０３に進む。
【００５８】
ストロボコンデンサの充電量が撮影するに充分であると判断した時は（Ｓ２０３）、Ｓ２０５に進み、ストロボを発光して撮影および記録を行う（Ｓ２０６）。
【００５９】
ストロボコンデンサの充電量が撮影するに充分でないと判断した時は（Ｓ２０３）、Ｓ２０７に進み、ビデオライトを点灯して撮影および記録を行う（Ｓ２０８）。
【図面の簡単な説明】
【００６０】
【図１】本発明の一実施例の構成ブロック図である。
【図２】本発明の一実施例の主ルーチンのフローチャートの一部である。
【図３】本発明の一実施例の主ルーチンのフローチャートの一部である。
【図４】本発明の一実施例の主ルーチンのフローチャートの一部である。
【符号の説明】
【００６１】
１０  撮像部
１２  信号処理部
１４  メモリ
１６  画像表示部
２０  システム制御回路
３０  モードスイッチ
３２  録画スイッチ
３４  停止スイッチ
３６  シャッタースイッチ
３８  操作部
４０  電源スイッチ
５０  電源
６０  記録媒体
６２  記録媒体着脱検知
７０  ライト点灯部
７２  ストロボ発光部
７４  ストロボコンデンサ
７６  被写体明暗検知部
８０  通信手段
【図１】
2007212950.tif 000003
【図２】
2007212950.tif 000004
【図３】
2007212950.tif 000005
【図４】
2007212950.tif 000006